(57)【要約】【課題】バスバ間の通電品質を安定させること。【解決手段】バスバ３０，４０と、複数の電気配線ブロック１０，２０と、接合対象となる２つの電気配線ブロックに収容されたそれぞれのバスバの電気接続体３５，４５を挟み込んで電気的に接続させる接続部材５０と、を備え、接続部材は、それぞれの電気接続体が電気接続面３５ａ１，４５ａ１同士を互いに重ね合わせて収容される収容空間５１と、それぞれの電気接続体の被押圧部３５ｂ，４５ｂに押圧力を作用させる２つの押圧壁体５３と、を有し、電気接続体は、電気接続面を有する電気接続部３５ａ，４５ａと、電気接続部に対して間隔を空けて配置した被押圧部と、自らの弾性変形と共に電気接続部と被押圧部との間を電気接続面に対する交差方向に相対移動させる弾性変形部３５ｃ，４５ｃと、を有すること。【選択図】図５
2020068571.tif 000002
【特許請求の範囲】
【請求項１】
導電性のバスバと、
電子部品と前記バスバを内方で電気的に接続させる複数の電気配線ブロックと、
相互間での接合対象となる２つの前記電気配線ブロックに収容されたそれぞれの前記バスバの電気接続体同士を電気的に接続させる接続部材と、
を備え、
前記接続部材は、それぞれの前記電気接続体が電気接続面同士を互いに重ね合わせて収容される収容空間と、それぞれの前記電気接続体を前記収容空間に差し込み挿入可能な差し込み口と、互いに対向配置させ、前記収容空間に収容されたそれぞれの前記電気接続体を被押圧部に押圧力を作用させながら挟み込む２つの押圧壁体と、前記差し込み口とは逆側でそれぞれの前記押圧壁体を連結させる連結壁体と、を有し、
前記電気接続体は、前記電気接続面を有する電気接続部と、前記電気接続部に対して間隔を空けて配置した前記被押圧部と、自らの弾性変形と共に前記電気接続部と前記被押圧部との間を前記電気接続面に対する交差方向に相対移動させる弾性変形部と、を有することを特徴とした電気配線ブロック接合体。
【請求項２】
前記電気接続体は、前記電気接続部を前記被押圧部に対して前記弾性変形部を介して片持ち状態で保持させることを特徴とした請求項１に記載の電気配線ブロック接合体。
【請求項３】
前記電気接続部は、一方の平面が前記電気接続面となる平板状に形成し、
前記被押圧部は、一方の平面が前記押圧壁体からの押圧力を受ける被押圧面となる平板状に形成し、
前記弾性変形部は、弾性域内での屈曲が可能な弧状且つ板状に形成し、
前記電気接続体は、前記電気接続部と前記被押圧部とを互いの平面に対する直交方向で間隔を空けて配置し、前記弾性変形部の周方向おける一端と他端とで前記電気接続部と前記被押圧部とを連結させた形状のものとして形成することを特徴とした請求項１又は２に記載の電気配線ブロック接合体。
【請求項４】
電子部品と、
導電性のバスバと、
前記電子部品と前記バスバを内方で電気的に接続させる複数の電気配線ブロックと、
相互間での接合対象となる２つの前記電気配線ブロックに収容されたそれぞれの前記バスバの電気接続体同士を電気的に接続させる接続部材と、
複数の前記電気配線ブロックを収容する筐体と、
を備え、
前記接続部材は、それぞれの前記電気接続体が電気接続面同士を互いに重ね合わせて収容される収容空間と、それぞれの前記電気接続体を前記収容空間に差し込み挿入可能な差し込み口と、互いに対向配置させ、前記収容空間に収容されたそれぞれの前記電気接続体を被押圧部に押圧力を作用させながら挟み込む２つの押圧壁体と、前記差し込み口とは逆側でそれぞれの前記押圧壁体を連結させる連結壁体と、を有し、
前記電気接続体は、前記電気接続面を有する電気接続部と、前記電気接続部に対して間隔を空けて配置した前記被押圧部と、自らの弾性変形と共に前記電気接続部と前記被押圧部との間を前記電気接続面に対する交差方向に相対移動させる弾性変形部と、を有することを特徴とした電気接続箱。
【請求項５】
電子部品と、
導電性のバスバと、
電線と、
前記電子部品と前記バスバと前記電線を内方で電気的に接続させる複数の電気配線ブロックと、
相互間での接合対象となる２つの前記電気配線ブロックに収容されたそれぞれの前記バスバの電気接続体同士を電気的に接続させる接続部材と、
複数の前記電気配線ブロックを収容し且つ前記電線を外方に引き出す筐体と、
を備え、
前記接続部材は、それぞれの前記電気接続体が電気接続面同士を互いに重ね合わせて収容される収容空間と、それぞれの前記電気接続体を前記収容空間に差し込み挿入可能な差し込み口と、互いに対向配置させ、前記収容空間に収容されたそれぞれの前記電気接続体を被押圧部に押圧力を作用させながら挟み込む２つの押圧壁体と、前記差し込み口とは逆側でそれぞれの前記押圧壁体を連結させる連結壁体と、を有し、
前記電気接続体は、前記電気接続面を有する電気接続部と、前記電気接続部に対して間隔を空けて配置した前記被押圧部と、自らの弾性変形と共に前記電気接続部と前記被押圧部との間を前記電気接続面に対する交差方向に相対移動させる弾性変形部と、を有することを特徴としたワイヤハーネス。
【発明の詳細な説明】
【技術分野】
【０００１】
本発明は、電気配線ブロック接合体、電気接続箱及びワイヤハーネスに関する。
【背景技術】
【０００２】
従来、筐体と、この筐体に収容される電子部品と、を備えた電気接続箱が知られている（下記の特許文献１から５）。例えば、電気接続箱においては、電子部品が収容された電気配線ブロックを筐体に収容することによって、この筐体に電子部品が収容される。この電気接続箱においては、複数の電気配線ブロックを１つの筐体に収容することがあり、それぞれの電気配線ブロック同士を接合することによって、繋がり合う電気配線ブロックの電子部品同士を電気的に接続させる。例えば、それぞれの電気配線ブロックには、自らが収容する電子部品に対して電気的に接続された板状のバスバを設ける。この場合には、互いに繋がり合う電気配線ブロックのバスバ同士を接続部材で繋ぐことによって、それぞれの電気配線ブロックの電子部品同士を電気的に接続させる。その接続部材としては、例えば、差し込み挿入されたバスバを挟み込むクリップの如き形態のものが考えられる。例えば、下記の特許文献６には、接続対象のバスバ毎に設けた板バネ状のクリップを有する中継用バスバが開示されている。その中継用バスバは、それぞれのクリップに接続対象のバスバを差し込むことによって、接続対象のバスバ同士を電気的に接続させる。
【先行技術文献】
【特許文献】
【０００３】
【特許文献１】特開２００４−２０１４４８号公報
【特許文献２】特開平９−３０８０４７号公報
【特許文献３】特開２００７−１２９７９０号公報
【特許文献４】特開２００４−１６６３２２号公報
【特許文献５】特開２００２−３１５１５６号公報
【特許文献６】特開２０１１−１７２３９３号公報
【発明の概要】
【発明が解決しようとする課題】
【０００４】
ところで、複数の電気配線ブロックが接合された接合体（電気配線ブロック接合体）においては、接合対象となる２つの電気配線ブロックを組み付けた際に、それぞれの電気配線ブロックに収容されているバスバの電気接続体同士を隣接させる。そして、この電気配線ブロック接合体においては、隣接状態のそれぞれの電気接続体をクリップ状の接続部材に差し込み挿入させることによって、その接続部材でそれぞれの電気接続体を挟み込んで電気的に接続させることも考えられる。しかしながら、それぞれの電気接続体は、自らの形状如何で、また、バスバ自体の寸法公差、電気配線ブロックの寸法公差、電気配線ブロックとバスバとの間の組付け公差、接合対象となる２つの電気配線ブロックの間での組付け公差などによって、クリップで挟み込まれた際の接触形態が必ずしも所期の形態になっているとは限らない。従って、電気配線ブロック接合体においては、バスバ間の通電品質にばらつきが生じてしまう可能性がある。
【０００５】
そこで、本発明は、バスバ間の通電品質を安定させることが可能な電気配線ブロック接合体、電気接続箱及びワイヤハーネスを提供することを、その目的とする。
【課題を解決するための手段】
【０００６】
上記目的を達成する為、本発明に係る電気配線ブロック接合体は、導電性のバスバと、電子部品と前記バスバを内方で電気的に接続させる複数の電気配線ブロックと、相互間での接合対象となる２つの前記電気配線ブロックに収容されたそれぞれの前記バスバの電気接続体同士を電気的に接続させる接続部材と、を備え、前記接続部材は、それぞれの前記電気接続体が電気接続面同士を互いに重ね合わせて収容される収容空間と、それぞれの前記電気接続体を前記収容空間に差し込み挿入可能な差し込み口と、互いに対向配置させ、前記収容空間に収容されたそれぞれの前記電気接続体を被押圧部に押圧力を作用させながら挟み込む２つの押圧壁体と、前記差し込み口とは逆側でそれぞれの前記押圧壁体を連結させる連結壁体と、を有し、前記電気接続体は、前記電気接続面を有する電気接続部と、前記電気接続部に対して間隔を空けて配置した前記被押圧部と、自らの弾性変形と共に前記電気接続部と前記被押圧部との間を前記電気接続面に対する交差方向に相対移動させる弾性変形部と、を有することを特徴としている。
【０００７】
ここで、前記電気接続体は、前記電気接続部を前記被押圧部に対して前記弾性変形部を介して片持ち状態で保持させることが望ましい。
【０００８】
また、前記電気接続部は、一方の平面が前記電気接続面となる平板状に形成し、前記被押圧部は、一方の平面が前記押圧壁体からの押圧力を受ける被押圧面となる平板状に形成し、前記弾性変形部は、弾性域内での屈曲が可能な弧状且つ板状に形成し、前記電気接続体は、前記電気接続部と前記被押圧部とを互いの平面に対する直交方向で間隔を空けて配置し、前記弾性変形部の周方向おける一端と他端とで前記電気接続部と前記被押圧部とを連結させた形状のものとして形成することが望ましい。
【０００９】
また、上記目的を達成する為、本発明に係る電気接続箱は、電子部品と、導電性のバスバと、前記電子部品と前記バスバを内方で電気的に接続させる複数の電気配線ブロックと、相互間での接合対象となる２つの前記電気配線ブロックに収容されたそれぞれの前記バスバの電気接続体同士を電気的に接続させる接続部材と、複数の前記電気配線ブロックを収容する筐体と、を備え、前記接続部材は、それぞれの前記電気接続体が電気接続面同士を互いに重ね合わせて収容される収容空間と、それぞれの前記電気接続体を前記収容空間に差し込み挿入可能な差し込み口と、互いに対向配置させ、前記収容空間に収容されたそれぞれの前記電気接続体を被押圧部に押圧力を作用させながら挟み込む２つの押圧壁体と、前記差し込み口とは逆側でそれぞれの前記押圧壁体を連結させる連結壁体と、を有し、前記電気接続体は、前記電気接続面を有する電気接続部と、前記電気接続部に対して間隔を空けて配置した前記被押圧部と、自らの弾性変形と共に前記電気接続部と前記被押圧部との間を前記電気接続面に対する交差方向に相対移動させる弾性変形部と、を有することを特徴としている。
【００１０】
また、上記目的を達成する為、本発明に係るワイヤハーネスは、電子部品と、導電性のバスバと、電線と、前記電子部品と前記バスバと前記電線を内方で電気的に接続させる複数の電気配線ブロックと、相互間での接合対象となる２つの前記電気配線ブロックに収容されたそれぞれの前記バスバの電気接続体同士を電気的に接続させる接続部材と、複数の前記電気配線ブロックを収容し且つ前記電線を外方に引き出す筐体と、を備え、前記接続部材は、それぞれの前記電気接続体が電気接続面同士を互いに重ね合わせて収容される収容空間と、それぞれの前記電気接続体を前記収容空間に差し込み挿入可能な差し込み口と、互いに対向配置させ、前記収容空間に収容されたそれぞれの前記電気接続体を被押圧部に押圧力を作用させながら挟み込む２つの押圧壁体と、前記差し込み口とは逆側でそれぞれの前記押圧壁体を連結させる連結壁体と、を有し、前記電気接続体は、前記電気接続面を有する電気接続部と、前記電気接続部に対して間隔を空けて配置した前記被押圧部と、自らの弾性変形と共に前記電気接続部と前記被押圧部との間を前記電気接続面に対する交差方向に相対移動させる弾性変形部と、を有することを特徴としている。
【発明の効果】
【００１１】
本発明に係る電気配線ブロック接合体は、それぞれの電気接続体にて電気接続部と被押圧部との間にバネ性を持たせているので、それぞれの電気接続体に接続部材を組み付けることで、それぞれの電気接続部の電気接続面同士の面接触状態を維持することができる。更に、本発明に係る電気配線ブロック接合体は、それぞれの電気接続体にて電気接続部と被押圧部との間にバネ性を持たせているので、電気接続面同士が面接触状態になっていなくても、それぞれの電気接続体に接続部材を組み付けることによって、電気接続面同士を面接触状態に補正して、その面接触状態を維持することができる。つまり、本発明に係る電気配線ブロック接合体は、それぞれの電気接続体に接続部材を組み付ける前の電気接続面同士の対向配置形態に拘わらず、その電気接続面同士を面接触状態に維持し続けることができる。従って、この電気配線ブロック接合体は、バスバ間の通電品質を安定させることができる。更に、本発明に係る電気接続箱及びワイヤハーネスは、その電気配線ブロック接合体を備えているので、この電気配線ブロック接合体が奏する効果を同様に得ることができる。
【図面の簡単な説明】
【００１２】
【図１】図１は、実施形態の電気配線ブロック接合体、電気接続箱及びワイヤハーネスを示す斜視図である。
【図２】図２は、実施形態の電気配線ブロック接合体の分解斜視図である。
【図３】図３は、第１電気配線ブロック側の分解斜視図である。
【図４】図４は、第２電気配線ブロック側の分解斜視図である。
【図５】図５は、組付け前の２つのバスバと接続部材を抜き出して示す分解斜視図である。
【図６】図６は、組付け前の対向配置状態の２つのバスバの電気接続体と接続部材を抜き出して示す分解斜視図である。
【図７】図７は、組付け後の２つのバスバの電気接続体と接続部材を抜き出して示す斜視図である。
【図８】図８は、図７のＸ−Ｘ線断面図である。
【発明を実施するための形態】
【００１３】
以下に、本発明に係る電気配線ブロック接合体、電気接続箱及びワイヤハーネスの実施形態を図面に基づいて詳細に説明する。尚、この実施形態によりこの発明が限定されるものではない。
【００１４】
［実施形態］
本発明に係る電気配線ブロック接合体、電気接続箱及びワイヤハーネスの実施形態の１つを図１から図８に基づいて説明する。
【００１５】
図１及び図２の符号１は、本実施形態の電気配線ブロック接合体を示す。また、図１の符号ＪＢと符号ＷＨは、各々、その電気配線ブロック接合体１を備えた本実施形態の電気接続箱と、この電気接続箱ＪＢを備えた本実施形態のワイヤハーネスと、を示す。
【００１６】
電気配線ブロック接合体１とは、電子部品ＥＰを収容する複数の電気配線ブロック（後述する第１電気配線ブロック１０と第２電気配線ブロック２０）が接合されたものである（図１及び図２）。また、電気接続箱ＪＢとは、筐体ＪＢａに複数の電気配線ブロックが電子部品ＥＰと共に収容されたものである（図１）。その筐体ＪＢａには、少なくとも１つの電気配線ブロック接合体１が収容される。よって、この電気接続箱ＪＢは、電気配線ブロック接合体１とは別の電気配線ブロック接合体や電気配線ブロックが筐体ＪＢａに収容される場合もある。電気配線ブロック接合体１は、その筐体ＪＢａに周知のロック機構（図示略）等を介して保持される。ワイヤハーネスＷＨとは、その電気接続箱ＪＢの電子部品ＥＰに対して電気的に接続された電線（電力供給線や信号線等）Ｗｅを筐体ＪＢａの内方から外方に引き出したものである（図１）。尚、図中の筐体ＪＢａは、フレームの外壁のみを示した概念図であり、このフレームの２つの開口を各々のカバーで塞いでいる。
【００１７】
電気接続箱ＪＢは、電線Ｗｅと共にワイヤハーネスＷＨとして、例えば、車両（図示略）のエンジンコンパートメント等に設置される。この電気接続箱ＪＢにおいては、車両に搭載された接続対象物（図示略）が電子部品ＥＰに対して電線Ｗｅを介して電気的に接続されている。例えば、この電気接続箱ＪＢにおいては、電子部品ＥＰに対して少なくとも２本の電線Ｗｅを電気的に接続し、この電子部品ＥＰを介して少なくとも２つの接続対象物の間を電気的に繋ぐ。電子部品ＥＰとは、例えば、リレー、ヒューズ等の回路保護部品、コネクタ、端子金具などのことを指している。本実施形態では、回路基板、電子制御ユニット（いわゆるＥＣＵ）等の電子機器についても、筐体ＪＢａに収容される電子部品ＥＰの一形態として考える。また、接続対象物とは、二次電池などの電源、電気機器（アクチュエータ等）などの負荷、センサなどのことを指している。
【００１８】
以下に、電気配線ブロック接合体１について具体的に説明する。
【００１９】
電気配線ブロック接合体１は、先に示したように、複数の電気配線ブロックが接合されたものである。電気配線ブロックとは、電子部品ＥＰの他に導電性のバスバも収容し、その電子部品ＥＰとバスバを内方で電気的に接続させるものである。この電気配線ブロック接合体１においては、相互間での接合対象となる２つの電気配線ブロックを接合させ、それぞれの電気配線ブロックに収容されたバスバ同士を結合させることによって、それぞれのバスバを電気的に接続させる。この電気配線ブロック接合体１は、後で詳述するが、それぞれのバスバの電気接続体を電気的に接続させる接続部材を備えている。
【００２０】
ここでは、２つの電気配線ブロック（第１電気配線ブロック１０、第２電気配線ブロック２０）を備えた電気配線ブロック接合体１について例示する（図１及び図２）。第１電気配線ブロック１０（図１から図３）と第２電気配線ブロック２０（図１、図２及び図４）は、各々、合成樹脂等の絶縁性材料で成形する。
【００２１】
第１電気配線ブロック１０は、電子部品ＥＰとしてリレーＥＰ１を収容すると共に、バスバ３０を収容する（図３）。この第１電気配線ブロック１０には、リレーＥＰ１を収容及び保持する第１収容室１１と、バスバ３０を収容及び保持する第２収容室１２と、が形成されている。この第１電気配線ブロック１０においては、６つのリレーＥＰ１を収容し、それぞれのリレーＥＰ１を１つのバスバ３０を介して電気的に接続させる。よって、この例示では、第１収容室１１が格子状に６つ並べて配置されており、それぞれの第１収容室１１に開口部１１ａを介してリレーＥＰ１が１つずつ収容される。また、それぞれの第１収容室１１には、第２収容室１２に収容したバスバ３０の端子接続体３１が各々挿入されている。従って、リレーＥＰ１は、第１収容室１１に収容した際に、バスバ３０に対して端子接続体３１を介して物理的且つ電気的に接続される。
【００２２】
ここで、バスバ３０は、金属等の導電性材料で成形する。この例示のバスバ３０は、銅板等の金属板を母材にしてプレス成形された板状のものである（図３及び図５）。このバスバ３０は、リレーＥＰ１毎の６つの端子接続体３１を有している。この例示の端子接続体３１は、所謂雄タブ型に形成されており、リレーＥＰ１の一方の雌型の端子接続体（図示略）に挿入され且つ嵌合される。このバスバ３０は、同一平面上で略等間隔に並べられた３つの端子接続体３１の組み合わせを２組有しており、それぞれの組み合わせが対向配置されている。このバスバ３０は、一方の組み合わせの３つの端子接続体３１を同一平面上で連結させる矩形の第１連結体３２と、他方の組み合わせの３つの端子接続体３１を同一平面上で連結させる矩形の第２連結体３３と、を有する。このバスバ３０においては、それぞれの端子接続体３１を第１連結体３２と第２連結体３３から同一平面上で同一方向に向けて突出させ且つ延在させており、その延在方向がリレーＥＰ１の端子接続体との挿抜方向になる。更に、このバスバ３０は、第１連結体３２と第２連結体３３を端子接続体３１側とは逆側で連結させる矩形の第３連結体３４を有する。このバスバ３０においては、６つの端子接続体３１と第１連結体３２と第２連結体３３と第３連結体３４とで主体部分が形成されている。
【００２３】
この第１電気配線ブロック１０においては、リレーＥＰ１の他方の雌型の端子接続体（図示略）に電線Ｗｅの端部が電気的に接続される。その電線Ｗｅは、端部に取り付けた例えば雄タブ型の端子金具を介してリレーＥＰ１に物理的且つ電気的に接続されている。この電線Ｗｅは、リレーＥＰ１毎に設けられている。
【００２４】
第２電気配線ブロック２０は、電子部品ＥＰとして回路保護部品ＥＰ２を収容すると共に、バスバ４０を収容する（図４）。この第２電気配線ブロック２０には、回路保護部品ＥＰ２を収容及び保持する第１収容室２１と、バスバ４０を収容及び保持する第２収容室２２と、が形成されている。この第２電気配線ブロック２０においては、１０個の回路保護部品ＥＰ２を収容し、それぞれの回路保護部品ＥＰ２を１つのバスバ４０を介して電気的に接続させる。よって、この例示では、第１収容室２１が格子状に１０個並べて配置されており、それぞれの第１収容室２１に開口部２１ａを介して回路保護部品ＥＰ２が１つずつ収容される。また、それぞれの第１収容室２１には、第２収容室２２に収容したバスバ４０の端子接続体４１が各々挿入されている。従って、回路保護部品ＥＰ２は、第１収容室２１に収容した際に、バスバ４０に対して端子接続体４１を介して物理的且つ電気的に接続される。
【００２５】
ここで、バスバ４０は、金属等の導電性材料で成形する。この例示のバスバ４０は、第１電気配線ブロック１０のバスバ３０と同じように、銅板等の金属板を母材にしてプレス成形された板状のものである（図４及び図５）。このバスバ４０は、回路保護部品ＥＰ２毎の１０個の端子接続体４１を有している。この例示の端子接続体４１は、所謂音叉端子型に形成されており、回路保護部品ＥＰ２の一方の雄タブ型の端子接続体ＥＰ２ａ（図４）が挿入されることで、この回路保護部品ＥＰ２の端子接続体ＥＰ２ａを挟み込む。このバスバ４０は、同一平面上で略等間隔に並べられた５つの端子接続体４１の組み合わせを２組有しており、それぞれの組み合わせが対向配置されている。このバスバ４０は、一方の組み合わせの５つの端子接続体４１を同一平面上で連結させる矩形の第１連結体４２と、他方の組み合わせの５つの端子接続体４１を同一平面上で連結させる矩形の第２連結体４３と、を有する。このバスバ４０においては、それぞれの端子接続体４１を第１連結体４２と第２連結体４３から同一平面上で同一方向に向けて突出させ且つ延在させており、その延在方向が回路保護部品ＥＰ２の端子接続体ＥＰ２ａとの挿抜方向になる。更に、このバスバ４０は、第１連結体４２と第２連結体４３を端子接続体４１側とは逆側で連結させる矩形の第３連結体４４を有する。このバスバ４０においては、１０個の端子接続体４１と第１連結体４２と第２連結体４３と第３連結体４４とで主体部分が形成されている。
【００２６】
この第２電気配線ブロック２０においては、回路保護部品ＥＰ２の他方の雄タブ型の端子接続体ＥＰ２ｂ（図４）に電線Ｗｅの端部が電気的に接続される。その電線Ｗｅは、端部に取り付けた例えば音叉端子型の端子金具を介して回路保護部品ＥＰ２に物理的且つ電気的に接続されている。この電線Ｗｅは、回路保護部品ＥＰ２毎に設けられている。
【００２７】
ここで示した第１電気配線ブロック１０と第２電気配線ブロック２０は、第１収容室１１の開口部１１ａ（リレーＥＰ１の挿入口）と第１収容室２１の開口部２１ａ（回路保護部品ＥＰ２の挿入口）とが同じ向きに口を開けるように接合する。先に示したように、この電気配線ブロック接合体１においては、第１電気配線ブロック１０と第２電気配線ブロック２０を接合させ、それぞれのバスバ３０，４０同士を結合させることによって、それぞれのバスバ３０，４０を電気的に接続させる。ここで、後述する接続部材５０を用いて電気的に接続される２つのバスバ（この例示のそれぞれのバスバ３０，４０）は、接合対象となる２つの電気配線ブロック（この例示の第１電気配線ブロック１０と第２電気配線ブロック２０）を組み付けることによって互いに隣り合い、かつ、接続部材５０によって接触状態で挟み込まれる電気接続体３５，４５を各々有している（図５から図８）。ここでは、そのそれぞれの電気接続体３５，４５を結合させることによって、それぞれのバスバ３０，４０を電気的に接続させる。
【００２８】
バスバ３０においては、主体部分（６つの端子接続体３１と第１連結体３２と第２連結体３３と第３連結体３４）から突出させた状態で電気接続体３５を設ける（図３及び図５）。このバスバ３０においては、第１連結体３２の端部（一辺）から電気接続体３５を突出させる。ここでは、第１連結体３２において、３つの端子接続体３１の配列方向における一方の端部に電気接続体３５を設けている。第１電気配線ブロック１０においては、このバスバ３０の主体部分を第２収容室１２に収容させ、かつ、このバスバ３０の電気接続体３５を外方に突出させる。
【００２９】
電気接続体３５は、相手方の電気接続体４５に接触させる電気接続部３５ａと、接続部材５０に挟み込まれているときに、この接続部材５０からの押圧力が作用している被押圧部３５ｂと、を有する（図３及び図５から図８）。電気接続部３５ａは、電気接続体４５に接触させる電気接続面３５ａ１を有している（図３、図５及び図８）。その電気接続面３５ａ１は、平面状に形成することが望ましい。この例示では、電気接続面３５ａ１を平面状に形成している。また、被押圧部３５ｂは、接続部材５０からの押圧力を受ける被押圧面３５ｂ１を有している（図８）。
【００３０】
また、バスバ４０においては、主体部分（１０個の端子接続体４１と第１連結体４２と第２連結体４３と第３連結体４４）から突出させた状態で電気接続体４５を設ける（図４及び図５）。このバスバ４０においては、第１連結体４２の端部（一辺）から電気接続体４５を突出させる。ここでは、第１連結体４２において、５つの端子接続体４１の配列方向における一方の端部に電気接続体４５を設けている。第２電気配線ブロック２０においては、このバスバ４０の主体部分を第２収容室２２に収容させ、かつ、このバスバ４０の電気接続体４５を外方に突出させる。
【００３１】
電気接続体４５は、相手方の電気接続体３５に接触させる電気接続部４５ａと、接続部材５０に挟み込まれているときに、この接続部材５０からの押圧力が作用している被押圧部４５ｂと、を有する（図４から図８）。電気接続部４５ａは、電気接続体３５に接触させる電気接続面４５ａ１を有している（図８）。その電気接続面４５ａ１は、平面状に形成することが望ましい。この例示では、電気接続面４５ａ１を平面状に形成している。また、被押圧部４５ｂは、接続部材５０からの押圧力を受ける被押圧面４５ｂ１を有している（図４から図８）。
【００３２】
それぞれのバスバ３０，４０においては、第１電気配線ブロック１０と第２電気配線ブロック２０を組み付けることによって、電気接続面３５ａ１，４５ａ１同士が対向配置される。そして、それぞれのバスバ３０，４０においては、それぞれの電気接続体３５，４５が下記の接続部材５０で被押圧面３５ｂ１，４５ｂ１側から挟み込まれることによって、電気接続面３５ａ１，４５ａ１同士の接触状態が保たれて、互いの電気接続状態が維持される。
【００３３】
この電気配線ブロック接合体１は、それぞれの電気接続体３５，４５を電気的に接続させる接続部材５０を備えている（図２及び図５から図８）。その接続部材５０は、それぞれの電気接続体３５，４５を結合させると共に、その結合状態を保つための部材である。この接続部材５０は、それぞれの電気接続体３５，４５を結合させたまま保持することによって、これらを電気的に接続させる。
【００３４】
接続部材５０は、電気接続面３５ａ１，４５ａ１同士を対向配置させているそれぞれの電気接続体３５，４５が差し込み挿入されていくことによって、その電気接続面３５ａ１，４５ａ１同士が互いに重ね合わされた状態でそれぞれの電気接続体３５，４５を結合し、かつ、それぞれの電気接続体３５，４５を結合状態のまま保持する。
【００３５】
そこで、この接続部材５０は、それぞれの電気接続体３５，４５が電気接続面３５ａ１，４５ａ１同士を互いに重ね合わせて収容される収容空間５１と、それぞれの電気接続体３５，４５を収容空間５１に差し込み挿入可能な差し込み口５２と、を有している（図２、図５、図６及び図８）。また、この接続部材５０は、互いに対向配置させ、収容空間５１に収容されたそれぞれの電気接続体３５，４５を被押圧部３５ｂ，４５ｂに押圧力を作用させながら挟み込む２つの押圧壁体５３を有している（図２、図５、図６及び図８）。更に、この接続部材５０は、差し込み口５２とは逆側でそれぞれの押圧壁体５３を連結させる連結壁体５４を有している（図２及び図５から図８）。この接続部材５０においては、その２つの押圧壁体５３と連結壁体５４とで囲まれた空間が収容空間５１になる。また、この接続部材５０においては、２つの押圧壁体５３における連結壁体５４側とは逆側の端部間が差し込み口５２になる。
【００３６】
この電気配線ブロック接合体１においては、接合対象となる第１電気配線ブロック１０と第２電気配線ブロック２０の内の少なくとも一方に、それぞれの電気接続体３５，４５と接続部材５０とを収容する収容室を設ける。ここでは、その収容室としての第３収容室１３を第１電気配線ブロック１０に設けている（図１から図３）。第１電気配線ブロック１０においては、第２収容室１２にバスバ３０が収容された際に、電気接続体３５が第３収容室１３に収容される。また、その第３収容室１３には、第１電気配線ブロック１０と第２電気配線ブロック２０とが接合された際に、バスバ４０の電気接続体４５が収容される。ここで、第３収容室１３は、第１収容室１１の開口部１１ａと同じ向きに口を開けた開口部１３ａを有する。
【００３７】
接続部材５０は、その開口部１３ａから第３収容室１３に挿入していくことによって、差し込み口５２からそれぞれの電気接続体３５，４５が差し込み挿入されていく。この接続部材５０においては、その第３収容室１３への挿入と差し込み挿入の進行と共に、電気接続面３５ａ１，４５ａ１同士が互いに重ね合わされたまま、それぞれの電気接続体３５，４５が差し込み口５２とは逆側の連結壁体５４に向けて収容空間５１の中を移動する。この接続部材５０においては、それぞれの電気接続体３５，４５が所定位置まで収容空間５１の中を移動することによって、それぞれの電気接続体３５，４５の収容空間５１への収容が完了する。２つの押圧壁体５３は、その収容空間５１に収容されたそれぞれの電気接続体３５，４５の被押圧面３５ｂ１，４５ｂ１に押圧力を作用させながら挟み込む。
【００３８】
例えば、この接続部材５０は、金属等の導電性材料で成形する。この例示の接続部材５０は、銅板等の金属板を母材にしてプレス成形された板状のものである。この例示の接続部材５０は、２つの押圧壁体５３と連結壁体５４とを各々矩形の片体状に形成している。押圧壁体５３は、差し込み口５２側を収容空間５１側にオフセットさせた矩形の押圧部５３ａを有する（図２及び図５から図７）。その押圧部５３ａは、電気接続体３５（４５）の被押圧面３５ｂ１（４５ｂ１）に押圧力を作用させる。
【００３９】
この接続部材５０は、連結壁体５４側を支点にしてそれぞれの押圧壁体５３を撓ませることができ、それぞれの押圧壁体５３の対向配置された内壁面の間隔を変えることができる。そして、この接続部材５０においては、その撓みを弾性域内で発生させることによって、それぞれの押圧壁体５３の間にバネ力を発生させることができる。この接続部材５０は、収容空間５１にそれぞれの電気接続体３５，４５が収容される前に、それぞれの押圧部５３ａの対向配置された内壁面の間隔が、電気接続体３５における電気接続面３５ａ１と被押圧面３５ｂ１との間隔及び電気接続体４５における電気接続面４５ａ１と被押圧面４５ｂ１との間隔の合計値よりも狭くなるように形成する。これにより、この接続部材５０においては、差し込み口５２からそれぞれの電気接続体３５，４５が収容空間５１に差し込み挿入されていった際に、それぞれの電気接続体３５，４５の被押圧面３５ｂ１，４５ｂ１によって、それぞれの押圧部５３ａが内壁面側から押し広げられ、それぞれの押圧壁体５３に弾性域内での撓みが発生する。これにより、それぞれの押圧部５３ａは、それぞれの電気接続体３５，４５の被押圧面３５ｂ１，４５ｂ１に押圧力を作用させることができ、それぞれの電気接続体３５，４５の電気接続面３５ａ１，４５ａ１同士を重ね合わせた状態のまま挟持することができる。よって、この接続部材５０は、それぞれのバスバ３０，４０を結合させ、互いの電気的な接続状態を保持することができる。
【００４０】
ここで、第１及び第２の電気配線ブロック１０，２０やバスバ３０，４０は、それぞれが自らの公差の範囲内での部品ばらつきを持って成形されている。また、第１電気配線ブロック１０とバスバ３０との間においては、組付け公差の範囲内での組付けばらつきが生じる。これと同様に、第２電気配線ブロック２０とバスバ４０との間においては、組付け公差の範囲内での組付けばらつきが生じる。また、この電気配線ブロック接合体１においては、第１電気配線ブロック１０と第２電気配線ブロック２０との間においても、組付け公差の範囲内での組付けばらつきが生じる。
【００４１】
そこで、本実施形態の電気配線ブロック接合体１においては、それぞれの電気接続体３５，４５が接続部材５０で挟み込まれているときに、そのような部品ばらつきや組付けばらつきの有無や大きさに拘わらず、電気接続面３５ａ１，４５ａ１同士を所期の形態で重ね合わせることができるように構成する。ここでは、それぞれの電気接続体３５，４５が接続部材５０で挟み込まれているときに、そのような部品ばらつきや組付けばらつきに伴う電気接続面３５ａ１と電気接続面４５ａ１との間の位置ずれを補正して、電気接続面３５ａ１，４５ａ１同士を所期の形態で重ね合わせることができるように、それぞれの電気接続体３５，４５を次のように形成する。
【００４２】
電気接続体３５においては、電気接続部３５ａと被押圧部３５ｂとを互いに間隔を空けて配置し（図６から図８）、この電気接続部３５ａと被押圧部３５ｂとの間にバネ性を持たせる。この電気接続体３５は、自らの弾性変形と共に電気接続部３５ａと被押圧部３５ｂとの間を電気接続面３５ａ１に対する交差方向に相対移動させる弾性変形部３５ｃを有している（図３及び図５から図８）。
【００４３】
具体的に、この例示の電気接続体３５では、電気接続部３５ａと被押圧部３５ｂとを互いに間隔を空けて対向配置させ、その対向配置方向における一端側に電気接続面３５ａ１を設け、その対向配置方向における他端側に被押圧面３５ｂ１を設ける。そして、この電気接続体３５においては、電気接続部３５ａを被押圧部３５ｂに対して弾性変形部３５ｃを介して片持ち状態で保持させる。この電気接続体３５は、弾性変形部３５ｃ側（つまり、電気接続部３５ａの固定端側）が開口部１３ａ側に配置され、かつ、電気接続部３５ａの自由端側が開口部１３ａ側とは逆側に配置されるように、第３収容室１３に収容される。
【００４４】
例えば、電気接続部３５ａは、一方の平面が電気接続面３５ａ１となる平板状に形成する。また、被押圧部３５ｂは、一方の平面が押圧壁体５３からの押圧力を受ける被押圧面３５ｂ１となる平板状に形成する。また、弾性変形部３５ｃは、弾性域内での屈曲が可能な弧状且つ板状に形成する。この電気接続体３５は、電気接続部３５ａと被押圧部３５ｂとを互いの平面に対する直交方向で間隔を空けて配置し、弾性変形部３５ｃの周方向おける一端と他端とで電気接続部３５ａと被押圧部３５ｂとを連結させた形状のものとして形成する。つまり、この電気接続体３５においては、金属板を折り曲げ加工することで得られる対向配置状態の２つの平板部を各々電気接続部３５ａと被押圧部３５ｂとして利用し、かつ、その折り曲げに伴い得られる弧状の屈曲部を弾性変形部３５ｃとして利用する。
【００４５】
この電気接続体３５は、例えば、金属板をＵ字状に折り曲げて形成する。よって、その母材となる金属板には、折り曲げに伴い得られる弾性変形部３５ｃが弾性変形し得るものとなるような板厚のものを用いる。ここでは、電気接続部３５ａと被押圧部３５ｂとを矩形の平板状に形成し、それぞれの平面に対する直交方向で間隔を空けて他方の平面同士を対向配置させている。
【００４６】
電気接続体４５においては、電気接続部４５ａと被押圧部４５ｂとを互いに間隔を空けて配置し（図６から図８）、この電気接続部４５ａと被押圧部４５ｂとの間にバネ性を持たせる。この電気接続体４５は、自らの弾性変形と共に電気接続部４５ａと被押圧部４５ｂとの間を電気接続面４５ａ１に対する交差方向に相対移動させる弾性変形部４５ｃを有している（図３及び図５から図８）。
【００４７】
具体的に、この例示の電気接続体４５では、電気接続部４５ａと被押圧部４５ｂとを互いに間隔を空けて対向配置させ、その対向配置方向における一端側に電気接続面４５ａ１を設け、その対向配置方向における他端側に被押圧面４５ｂ１を設ける。そして、この電気接続体４５においては、電気接続部４５ａを被押圧部４５ｂに対して弾性変形部４５ｃを介して片持ち状態で保持させる。この電気接続体４５は、弾性変形部４５ｃ側（つまり、電気接続部４５ａの固定端側）が開口部１３ａ側に配置され、かつ、電気接続部４５ａの自由端側が開口部１３ａ側とは逆側に配置されるように、第３収容室１３に収容される。
【００４８】
例えば、電気接続部４５ａは、一方の平面が電気接続面４５ａ１となる平板状に形成する。また、被押圧部４５ｂは、一方の平面が押圧壁体５３からの押圧力を受ける被押圧面４５ｂ１となる平板状に形成する。また、弾性変形部４５ｃは、弾性域内での屈曲が可能な弧状且つ板状に形成する。この電気接続体４５は、電気接続部４５ａと被押圧部４５ｂとを互いの平面に対する直交方向で間隔を空けて配置し、弾性変形部４５ｃの周方向おける一端と他端とで電気接続部４５ａと被押圧部４５ｂとを連結させた形状のものとして形成する。つまり、この電気接続体４５においては、金属板を折り曲げ加工することで得られる対向配置状態の２つの平板部を各々電気接続部４５ａと被押圧部４５ｂとして利用し、かつ、その折り曲げに伴い得られる弧状の屈曲部を弾性変形部４５ｃとして利用する。
【００４９】
この電気接続体４５は、例えば、金属板をＵ字状に折り曲げて形成する。よって、その母材となる金属板には、折り曲げに伴い得られる弾性変形部４５ｃが弾性変形し得るものとなるような板厚のものを用いる。ここでは、電気接続部４５ａと被押圧部４５ｂとを矩形の平板状に形成し、それぞれの平面に対する直交方向で間隔を空けて他方の平面同士を対向配置させている。
【００５０】
この電気配線ブロック接合体１においては、第１電気配線ブロック１０と第２電気配線ブロック２０とが組み付けられていくことで、それぞれの電気接続体３５，４５の電気接続面３５ａ１，４５ａ１同士が対向配置される。その際、電気接続面３５ａ１，４５ａ１同士は、先に示した部品ばらつきや組付けばらつきによって、例えば、所望の面接触状態の対向配置形態になっている場合もあれば、非接触状態の対向配置形態になっている場合もあれば、互いに傾きを持って点接触状態又は線接触状態又は非接触状態の対向配置形態になっている場合もある。
【００５１】
しかしながら、この電気配線ブロック接合体１においては、それぞれの電気接続体３５，４５が差し込み口５２から差し込み挿入されるように接続部材５０を組み付けていくことによって、電気接続面３５ａ１，４５ａ１同士が面接触状態の対向配置形態の場合、それぞれの押圧壁体５３から被押圧部３５ｂ，４５ｂへの押圧力によって、電気接続面３５ａ１，４５ａ１同士の面接触状態を保つことができる。更に、この場合には、その押圧力が過大になったり、その押圧力の印加方向に多少のずれが生じたとしても、過大な押圧力の余剰分を弾性変形部３５ｃ，４５ｃで吸収したり、押圧力の印加方向のずれを弾性変形部３５ｃ，４５ｃで吸収したりすることができるので、電気接続面３５ａ１，４５ａ１同士の面接触状態を保つことができる。
【００５２】
また、電気接続面３５ａ１，４５ａ１同士が点接触状態又は線接触状態又は非接触状態の対向配置形態になっている場合には、それぞれの電気接続体３５，４５に接続部材５０を組み付けていくことによって、これらの状態が弾性変形部３５ｃ，４５ｃの弾性変形によって面接触状態に補正されていく。
【００５３】
このように、本実施形態の電気配線ブロック接合体１は、それぞれの電気接続体３５，４５にて電気接続部３５ａ，４５ａと被押圧部３５ｂ，４５ｂとの間にバネ性を持たせているので、それぞれの電気接続体３５，４５に接続部材５０を組み付けることで、それぞれの電気接続部３５ａ，４５ａの接触状態を維持することができる。この例示では、それぞれの電気接続部３５ａ，４５ａが電気接続面３５ａ１，４５ａ１同士を互いに重ね合わせるものとして形成されているので、その電気接続面３５ａ１，４５ａ１同士の面接触状態を維持することができる。更に、本実施形態の電気配線ブロック接合体１は、それぞれの電気接続体３５，４５にて電気接続部３５ａ，４５ａと被押圧部３５ｂ，４５ｂとの間にバネ性を持たせているので、電気接続面３５ａ１，４５ａ１同士が面接触状態になっていなくても、それぞれの電気接続体３５，４５に接続部材５０を組み付けることによって、電気接続面３５ａ１，４５ａ１同士を面接触状態に補正して、その面接触状態を維持することができる。つまり、本実施形態の電気配線ブロック接合体１は、それぞれの電気接続体３５，４５に接続部材５０を組み付ける前の電気接続面３５ａ１，４５ａ１同士の対向配置形態に拘わらず、その電気接続面３５ａ１，４５ａ１同士を面接触状態に維持し続けることができる。従って、この電気配線ブロック接合体１は、バスバ３０，４０間の通電品質を安定させることができる。そして、本実施形態の電気接続箱ＪＢ及びワイヤハーネスＷＨは、その電気配線ブロック接合体１を備えているので、この電気配線ブロック接合体１が奏する効果を同様に得ることができる。
【００５４】
ところで、本実施形態の電気配線ブロック接合体１においては、接合対象となる２つの電気配線ブロック（この例示の第１電気配線ブロック１０と第２電気配線ブロック２０）を組み付けた後で、それぞれの電気配線ブロックにバスバ（この例示のそれぞれのバスバ３０，４０）を収容し、その収容後のそれぞれのバスバに接続部材５０を組み付けてもよい。本実施形態の電気配線ブロック接合体１は、このような組付け形態のものであっても、先の例示と同様の効果を得ることができる。そして、本実施形態の電気接続箱ＪＢ及びワイヤハーネスＷＨは、この場合でも、その電気配線ブロック接合体１を備えているので、この電気配線ブロック接合体１が奏する効果を同様に得ることができる。
【符号の説明】
【００５５】
１  電気配線ブロック接合体
１０  第１電気配線ブロック
２０  第２電気配線ブロック
３０，４０  バスバ
３５，４５  電気接続体
３５ａ，４５ａ  電気接続部
３５ａ１，４５ａ１  電気接続面
３５ｂ，４５ｂ  被押圧部
３５ｂ１，４５ｂ１  被押圧面
３５ｃ，４５ｃ  弾性変形部
５０  接続部材
５１  収容空間
５２  差し込み口
５３  押圧壁体
５４  連結壁体
ＥＰ  電子部品
ＪＢ  電気接続箱
ＪＢａ  筐体
Ｗｅ  電線
ＷＨ  ワイヤハーネス
【図１】
2020068571.tif 000003
【図２】
2020068571.tif 000004
【図３】
2020068571.tif 000005
【図４】
2020068571.tif 000006
【図５】
2020068571.tif 000007
【図６】
2020068571.tif 000008
【図７】
2020068571.tif 000009
【図８】
2020068571.tif 000010